(57)【要約】【課題】外光を利用する反射表示のときも面光源からの光による透過表示のときも画面を鏡面にし、しかも両方の表示を着色表示とすることができる液晶表示装置を提供する。【解決手段】液晶素子１の前側に吸収偏光板６を、後側に反射偏光板７を配置し、前記反射偏光板７の後側に面光源８を配置するとともに、前記液晶素子１に、面光源８からの光により透過表示を行なうための予め定めた第１の領域Ａと前記第１の領域以外の第２の領域Ｂを設け、前記反射偏光板７の面光源８に対向する後面側に、前記液晶素子１の少なくとも第１の領域Ａに対応する透光性着色膜と、第２の領域Ｂに対応する遮光印刷膜１０とを設けた。【選択図】    図１
2004212424.tif 000002
【特許請求の範囲】
【請求項１】
表示の観察側である前側の基板とこの前側基板に対向する後側基板との間に、印加される電界に応じて透過光の偏光状態を制御する液晶層が設けられてなる液晶素子と、前記液晶素子の前側に配置され、入射光の互いに直交する２つの直線偏光成分のうち、一方の偏光成分を吸収し、他方の偏光成分を透過させる吸収偏光板と、前記液晶素子の後側に配置され、入射光の互いに直交する２つの直線偏光成分のうち、一方の偏光成分を反射し、他方の偏光成分を透過させる反射偏光板と、前記反射偏光板の後側に配置された面光源とを備え、前記液晶素子に、前記面光源からの光により透過表示を行なうための予め定めた第１の領域と前記第１の領域以外の第２の領域を設け、前記反射偏光板の前記面光源に対向する後面側に、前記液晶素子の少なくとも前記第１の領域に対応する透光性着色膜と、前記第２の領域に対応する遮光印刷膜とを設けたことを特徴とする液晶表示装置。
【請求項２】
液晶素子の第１と第２の領域の両方に、液晶層に印加する電界を制御する複数の画素が形成され、反射偏光板の後面に前記第１と第２の領域の両方に対応する透光性着色膜が設けられるとともに、この着色膜の面光源に対向する後面に、前記第２の領域に対応する遮光印刷膜が設けられていることを特徴とする請求項１に記載の液晶表示装置。
【請求項３】
液晶素子の第１の領域だけに、液晶層に印加する電界を制御する複数の画素が形成されていることを特徴とする請求項１に記載の液晶表示装置。
【発明の詳細な説明】
【０００１】
【発明の属する技術分野】
この発明は、外部環境の光である外光を利用する反射表示と、面光源からの光による透過表示との両方の表示を行なう液晶表示装置に関する。
【０００２】
【従来の技術】
外部環境の光である外光を利用する反射表示と、面光源からの光による透過表示との両方の表示を行なう液晶表示装置として、表示の観察側である前側の基板とこの前側基板に対向する後側基板との間に印加される電界に応じて透過光の偏光状態を制御する液晶層が設けられてなる液晶素子の前側に、入射光の互いに直交する２つの直線偏光成分のうち、一方の偏光成分を吸収し、他方の偏光成分を透過させる吸収偏光板を配置し、前記液晶素子の後側に、入射光の互いに直交する２つの直線偏光成分のうち、一方の偏光成分を反射し、他方の偏光成分を透過させる反射偏光板を配置し、前記反射偏光板の後側に面光源を配置したものがある（特許文献１参照）。
【０００３】
この液晶表示装置は、外光を利用して反射表示を行なうときは、表示の観察側である前側から入射した光を前記吸収偏光板により直線偏光として液晶素子に入射させ、液晶層への印加電界に応じて偏光状態を制御されて前記液晶素子の後側に出射した光のうち、一方の直線偏光成分を前記反射偏光板により反射して前側に出射させ、他方の直線偏光成分を前記反射偏光板の後側に透過させて表示し、前記面光源からの光により透過表示を行なうときは、前記面光源から出射した光を前記反射偏光板により直線偏光として液晶素子に入射させ、液晶層への印加電界に応じて偏光状態を制御されて前記液晶素子の前側に出射した光のうち、一方の直線偏光成分を前記吸収偏光板により吸収し、他方の直線偏光成分を前記吸収偏光板を透過させて前側に出射して表示する。
【０００４】
この液晶表示装置は、液晶素子の後側に配置された反射偏光板が前記一方の直線偏光成分を鏡面反射するため、前側から入射し、前記反射偏光板により反射されて前側に出射する光が鏡面反射光であり、したがって、外光を利用する反射表示のときの画面を光沢感のある鏡面にすることができる。
【０００５】
【特許文献１】
特開２００２−４７１９５号公報
【０００６】
【発明が解決しようとする課題】
上記液晶表示装置は、外光を利用する反射表示を行なうときの画面は鏡面であるが、面光源から光を出射させて透過表示を行なうときは画面を鏡面にすることができない。
【０００７】
すなわち、前記面光源からの光による透過表示は、通常、外光を利用する反射表示では充分な明るさの表示が得られない薄暗い環境下で行なわれるが、その環境下でも、ある程度の外光が前側から入射するため、その光のうち、前記反射偏光板により反射された鏡面反射光が前側に出射する。
【０００８】
しかし、この液晶表示装置は、前記反射偏光板の偏光度が吸収偏光板の偏光度よりも低いため、液晶素子の前側と後側にそれぞれ吸収偏光板を配置したものに比べて暗表示部からの光漏れが多い。
【０００９】
そして、前記面光源からの光により透過表示を行なうときは、前記暗表示部からの漏れ光が表示の観察側である前側に出射するため、前側から入射した外光の鏡面反射光よりも前記漏れ光が強く見え、画面が鏡面にならない。
【００１０】
この発明は、外光を利用する反射表示のときも面光源からの光による透過表示のときも画面を鏡面にし、しかも両方の表示を着色表示とすることができる液晶表示装置を提供することを目的としたものである。
【００１１】
【課題を解決するための手段】
この発明の液晶表示装置は、表示の観察側である前側の基板とこの前側基板に対向する後側基板との間に、印加される電界に応じて透過光の偏光状態を制御する液晶層が設けられてなる液晶素子と、前記液晶素子の前側に配置され、入射光の互いに直交する２つの直線偏光成分のうち、一方の偏光成分を吸収し、他方の偏光成分を透過させる吸収偏光板と、前記液晶素子の後側に配置され、入射光の互いに直交する２つの直線偏光成分のうち、一方の偏光成分を反射し、他方の偏光成分を透過させる反射偏光板と、前記反射偏光板の後側に配置された面光源とを備え、前記液晶素子に、前記面光源からの光により透過表示を行なうための予め定めた第１の領域と前記第１の領域以外の第２の領域を設け、前記反射偏光板の前記面光源に対向する後面側に、前記液晶素子の少なくとも前記第１の領域に対応する透光性着色膜と、前記第２の領域に対応する遮光印刷膜とを設けたことを特徴とする。
【００１２】
この液晶表示装置は、液晶素子の前側に吸収偏光板を配置し、前記液晶素子の後側に反射偏光板を配置しているため、表示の観察側である前側から入射した光のうち、前記反射偏光板により反射された鏡面反射光を前側に出射させて画面を鏡面にすることができる。
【００１３】
そして、この液晶表示装置では、前記液晶素子に、前記反射偏光板の後側に配置された面光源からの光により透過表示を行なうための予め定めた第１の領域と、前記第１の領域以外の第２の領域を設け、前記反射偏光板の前記面光源に対向する後面側に、前記第２の領域に対応する遮光印刷膜を設けているため、前記面光源からの光による透過表示を行なうときは、前記面光源から出射した光のうち、前記遮光印刷膜に入射した光をこの遮光印刷膜により遮り、前記液晶素子の第１の領域だけに光を入射させて表示することができる。
【００１４】
そのため、この透過表示のときは、前記液晶素子の前記第２の領域に対応する部分から表示の観察側である前側に出射する漏れ光は無く、したがって、前側から入射した外光の鏡面反射光の強度が弱くても、前記第２の領域に対応する画面部分を鏡面にすることができる。
【００１５】
しかも、この液晶表示装置は、前記反射偏光板の前記面光源に対向する後面側に、前記液晶素子の少なくとも前記第１の領域に対応する透光性着色膜を設けているため、外光を利用する反射表示のときも前記面光源からの光による透過表示のときも、その表示を着色表示とすることができる。
【００１６】
このように、この発明の液晶表示装置は、液晶素子の前側に吸収偏光板を、後側に反射偏光板を配置し、前記反射偏光板の後側に面光源を配置するとともに、前記液晶素子に、前記面光源からの光により透過表示を行なうための予め定めた第１の領域と前記第１の領域以外の第２の領域を設け、前記反射偏光板の前記面光源に対向する後面側に、前記液晶素子の少なくとも前記第１の領域に対応する透光性着色膜と、前記第２の領域に対応する遮光印刷膜とを設けることにより、外光を利用する反射表示のときも面光源からの光による透過表示のときも画面を鏡面にし、しかも両方の表示を着色表示とすることができるようにしたものである。
【００１７】
この発明の液晶表示装置は、前記液晶素子の第１と第２の領域の両方に、液晶層に印加する電界を制御する複数の画素を形成した構成としてもよく、その場合は、前記反射偏光板の後面に前記第１と第２の領域の両方に対応する透光性着色膜を設け、この着色膜の前記面光源に対向する後面に、前記第２の領域に対応する遮光印刷膜を設ければよい。
【００１８】
また、この液晶表示装置は、前記液晶素子の第１の領域だけに、液晶層に印加する電界を制御する複数の画素を形成した構成としてもよい。
【００１９】
【発明の実施の形態】
図１はこの発明の一実施例を示す液晶表示装置の断面図であり、（ａ）は反射表示状態を示し、（ｂ）は透過表示状態を示している。
【００２０】
この実施例の液晶表示装置は、図１に示したように、液晶素子１と、前記液晶素子１の前側に配置された吸収偏光板６と、前記液晶素子１の後側に配置された反射偏光板７と、前記反射偏光板７の後側に配置された面光源８とを備え、さらに、前記反射偏光板７の前記面光源８に対向する後面側に、透光性着色膜９と遮光印刷膜１０とを設けた構成となっている。
【００２１】
前記液晶素子１は、表示の観察側である前側の透明基板２と、この前側基板２に対向する後側の透明基板３との間に、印加される電界に応じて透過光の偏光状態を制御する液晶層５が設けられたものであり、前記前側基板２と後側基板３は、枠状のシール材４を介して接合されており、これらの基板２，３間の前記シール材４で囲まれた領域に液晶層５が設けられている。
【００２２】
なお、図では省略しているが、前記液晶素子１の前後の基板２，３の対向する内面にはそれぞれ、互いに対向する部分により前記液晶層５に印加する電界を制御する複数の画素を形成する透明電極と、前記電極を覆って形成された配向膜が設けられている。
【００２３】
この液晶素子１は、例えば、前後の基板２，３の一方の内面に行方向に沿う複数の走査電極を設け、他方の内面に列方向に沿う複数の信号電極を設けた単純マトリックス液晶素子であり、この実施例では、前記走査電極と信号電極とを前記シール材４で囲まれた領域の略全域にわたって設け、前記シール材４で囲まれた領域の略全域にわたって複数の画素をマトリックス状に配列形成している。
【００２４】
そして、前記液晶素子１の液晶層に対応する画面部のうち、予め定めた領域、例えば前記画面部の中央の領域は、前記面光源８からの光により透過表示を行なうための第１の領域Ａとされており、この第１の領域Ａ以外の第２の領域（画面部の中央の領域）Ｂは、透過表示のときの非表示領域とされている。
【００２５】
この液晶素子１は、外光を利用する反射表示を行なうときは、前記第１と第２の領域Ａ，Ｂの両方の画素の電極間に電界を印加されて駆動され、前記面光源８からの光により透過表示を行なうときは、前記第２の領域Ｂ内の全ての画素を無電界状態とし、前記第１の領域Ａ内の画素の電極間だけに電界を印加されて駆動される。
【００２６】
前記液晶素子１の前側に配置された吸収偏光板６は、互いに直交する方向に吸収軸と透過軸をもっており、入射光の互いに直交する２つの直線偏光成分のうち、前記吸収軸に平行な一方の偏光成分を吸収し、前記透過軸に平行な他方の偏光成分を透過させる。
【００２７】
また、前記液晶素子の後側に配置された反射偏光板７、互いに直交する方向に反射軸と透過軸をもっており、入射光の互いに直交する２つの直線偏光成分のうち、前記反射軸に平行な一方の偏光成分を反射し、前記透過軸に平行な他方の偏光成分を透過させる。
【００２８】
なお、この実施例の液晶表示装置は、ＴＮ（ツイステッドネマティック）型のものであり、前記液晶素子１の液晶層５の液晶分子は前後の基板２，３間において実質的に９０°のツイスト角でツイスト配向しており、前記吸収偏光板６と反射偏光板７は、それぞれの透過軸を実質的に平行にして配置されている。
【００２９】
図２は、前記液晶素子１の前後の基板２，３の近傍における液晶分子配向方向２ａ，３ａと、前記吸収偏光板６と反射偏光板７の透過軸６ａ，７ａの向きを示しており、前記液晶素子１の前側基板２の近傍における液晶分子配向方向２ａは、液晶表示装置の画面の横軸ｘに対して一方の方向に実質的に４５°の方向、後側基板３の近傍における液晶分子配向方向３ａは、前記横軸ｘに対して他方の方向に実質的に４５°の方向にあり、前記液晶層５の液晶分子は、前後の基板２，３間において実質的に９０°のツイスト角でツイスト配向している。
【００３０】
そして、前記吸収偏光板６は、その透過軸６ａを前記液晶素子１の前側基板２の近傍における液晶分子配向方向２ａと実質的に平行または直交（図では直交）させて前記液晶素子１の前側基板２の外面に貼付けられており、前記反射偏光板７は、その透過軸７ａを前記吸収偏光板６の透過軸６ａと実質的に平行にし、反射軸７ｂを前記吸収偏光板６の透過軸６ａと実質的に直交させて、前記液晶素子１の後側基板３の外面に貼付けられている。
【００３１】
一方、前記透光性着色膜９は、前記反射偏光板７の後面に任意の色の透光性インクを印刷して形成された印刷膜からなっており、この透光性着色膜９は、前記液晶素子１の前記第１と第２の領域Ａ，Ｂの両方に対応させて、前記反射偏光板７の後面全体に設けられている。
【００３２】
また、前記遮光印刷膜１０は、例えば黒色等の顔料が添加された遮光性インクの印刷膜からなっており、この遮光印刷膜１０は、前記透光性着色膜９の面光源に対向する後面に、前記液晶素子１の前記第２の領域Ｂに対応させて設けられている。
【００３３】
この液晶表示装置は、充分な明るさの外光が得られる環境下では、外部環境の光である外光を利用する反射表示を行ない、充分な明るさの外光が得られないときに、前記面光源８から光を出射させてその光による透過表示を行なうものである。
【００３４】
まず、外光を利用する反射表示について説明すると、この反射表示のときは、表示の観察側である前側から図１（ａ）に矢線で示したように入射した外光が、液晶素子１の前側に配置された吸収偏光板６によりその吸収軸（図示せず）に平行な直線偏光成分を吸収され、前記吸収偏光板６の透過軸６ａに平行な直線偏光となって前記液晶素子１の第１及び第２の領域Ａ，Ｂに入射する。
【００３５】
この液晶素子１に入射した光は、液晶層５への印加電界に応じて偏光状態を制御されて前記液晶素子１の後側に出射し、その光のうち、前記液晶素子１の後側に配置された反射偏光板７の反射軸７ｂに平行な直線偏光成分が前記反射偏光板７により鏡面反射され、前記液晶素子１と吸収偏光板６とを透過して前側に出射し、前記反射偏光板７の透過軸７ａに平行な直線偏光成分が前記反射偏光板７を透過して前記透光性着色膜９に入射する。
【００３６】
そのため、この反射表示のときは、前記液晶素子１の第１及び第２の領域Ａ，Ｂの液晶分子が初期のツイスト配向状態にある画素に対応する部分から前記反射偏光板７による鏡面反射光が前側に出射し、その鏡面反射光による背景中に、前記液晶素子１の液晶分子が基板２，３面に対して立ち上がり配向した画素に対応する表示が前記透光性着色膜９の色で表示される。
【００３７】
すなわち、この液晶表示装置は、前記液晶素子１の前側に吸収偏光板６を配置し、前記液晶素子１の後側に反射偏光板７を配置しているため、表示の観察側である前側から入射した光のうち、前記反射偏光板７により反射された鏡面反射光を前側に出射させて画面を鏡面にすることができる。
【００３８】
しかも、この液晶表示装置は、前記反射偏光板７の面光源８に対向する後面に、前記液晶素子１の第１及び第２の領域Ａ，Ｂに対応する透光性着色膜９を設けるとともに、前記液晶素子１の第１と第２の領域Ａ，Ｂの両方に、液晶層５に印加する電界を制御する複数の画素を形成し、前記反射表示を行なうときは、前記液晶素子１を上述したように第１と第２の領域Ａ，Ｂの両方の画素の電極間に電界を印加して駆動するようにしているため、前記反射表示のときに、前記液晶素子１の第１と第２の領域Ａ，Ｂの両方を利用して、鏡面背景中に前記透光性着色膜９の色で表示する着色表示を行なうことができる。
【００３９】
次に、前記面光源８からの光による透過表示について説明すると、この透過表示のときは、前記面光源８から図１（ｂ）に矢線で示したように出射した光のうち、前記液晶素子１の第２の領域Ｂに向かう光が、前記透光性着色膜９の後面に設けられた遮光印刷膜１０により遮られ、他の光、つまり前記液晶素子１の透過表示を行なうための第１の領域Ａに向かう光が、前記透光性着色膜９を透過して着色光となって前記液晶素子１の後側に配置された反射偏光板７に入射する。
【００４０】
そして、前記反射偏光板７に入射した光は、そのうちの前記反射偏光板７の反射軸７ｂに平行な直線偏光成分を前記反射偏光板７により反射され、前記反射偏光板７の透過軸７ａに平行な直線偏光となって前記液晶素子１の前記第１領域Ａに入射する。
【００４１】
この液晶素子１に入射した光は、液晶層５への印加電界に応じて偏光状態を制御されて前記液晶素子１の前側に出射し、その光のうち、前記液晶素子１の前側に配置された吸収偏光板６の透過軸６ａに平行な直線偏光成分が前記吸収偏光板６を透過して前側に出射し、前記吸収偏光板６の吸収軸に平行な直線偏光成分がこの吸収偏光板６により吸収される。
【００４２】
そのため、この透過表示のときは、前記液晶素子１の第１Ａ内の各画素のうち、液晶分子が初期のツイスト配向状態にある画素に対応する部分から前記透光性着色膜９の色に着色した光が出射し、その着色光による背景中に、前記液晶素子１の液晶分子が基板２，３面に対して立ち上がり配向した画素に対応する表示が黒で表示される。
【００４３】
この面光源８からの光による透過表示は、通常、外光を利用する反射表示では充分な明るさの表示が得られない薄暗い環境下で行なわれるが、その環境下でも、ある程度の外光が前側から入射する。
【００４４】
この前側から入射した外光は、図１（ｂ）に破矢線で示したように、前記吸収偏光板６によりその透過軸６ａに平行な直線偏光とされて前記液晶素子１の第１及び第２の領域Ａ，Ｂに入射し、この液晶素子１を透過してその後側に出射した光のうち、前記液晶素子１の後側に配置された反射偏光板７の反射軸７ｂに平行な直線偏光成分が図１（ｂ）に破矢線で示したように前記反射偏光板７により鏡面反射される。
【００４５】
ただし、前記反射偏光板７の偏光度は前記吸収偏光板６の偏光度よりも低いため、前記液晶表示装置は、液晶素子の前側と後側にそれぞれ吸収偏光板を配置したものに比べて暗表示部からの光漏れが多い。
【００４６】
そして、前記面光源８からの光により透過表示を行なうときは、前記暗表示部からの漏れ光が表示の観察側である前側に出射するため、前側から入射した外光の鏡面反射光よりも前記漏れ光が強く見える。
【００４７】
しかし、この液晶表示装置では、前記液晶素子１に、前記反射偏光板７の後側に配置された面光源８からの光により透過表示を行なうための予め定めた第１の領域Ａと、前記第１の領域Ａ以外の第２の領域Ｂを設け、前記反射偏光板７の前記面光源８に対向する後面側に、前記第２の領域Ｂに対応する遮光印刷膜１０を設けているため、前記面光源８からの光による透過表示を行なうときは、上述したように、前記面光源８から出射した光のうち、前記遮光印刷膜１０に入射した光をこの遮光印刷膜１０により遮り、前記液晶素子１の第１の領域Ａだけに光を入射させて表示することができる。
【００４８】
そのため、この透過表示のときは、前記液晶素子１の前記第２の領域Ｂに対応する部分から表示の観察側である前側に出射する漏れ光は無く、したがって、前側から入射した外光の鏡面反射光の強度が弱くても、前記第２の領域Ｂに対応する画面部分を鏡面にすることができる。
【００４９】
そして、液晶表示装置では、前記透過表示を行なうときは、前記液晶素子１を上述したように前記第２の領域Ｂ内の全ての画素を無電界状態とし、前記第１の領域Ａ内の画素の電極間だけに電界を印加して駆動するようにしているため、前記液晶素子１の前記第２の領域Ｂに対応する画面部分の全体から外光の鏡面反射光を出射させ、その画面部分全体を鏡面にすることができる。
【００５０】
しかも、この液晶表示装置は、前記反射偏光板７の後面に前記透光性着色膜９を設けているため、前記面光源８からの光による透過表示のときも、前記液晶素子１の前記第１の領域Ａに対応する画面部分の表示を着色表示とすることができる。
【００５１】
図３は前記液晶表示装置の面光源８からの光による透過表示のときの表示状態を示しており、この透過表示のときは、前記液晶素子１の第１の領域Ａに対応する画面部分は鏡面に見えず、前記透光性着色膜９の色に着色した背景中に表示（図では時計表示）が黒で表示されるが、前記液晶素子１の第２の領域Ｂに対応する画面部分は鏡面に見える。
【００５２】
なお、上記実施例では、透光性着色膜９を、反射偏光板７の後面に任意の色の透光性インクを印刷して形成しているが、前記透光性着色膜９は、着色された透光性フィルムでもよい。
【００５３】
また、上記実施例では、外光を利用する反射表示を行なうときに、前記液晶素子１を、その第１と第２の領域Ａ，Ｂの両方の画素の電極間に電界を印加して駆動するようにしているが、前記反射表示を行なうときの液晶素子１を駆動を、前記第１と第２の領域Ａ，Ｂの両方の画素の電極間に電界を印加する駆動と、前記透過表示のときと同様に第２の領域Ｂ内の全ての画素を無電界状態とし、前記第１の領域Ａ内の画素の電極間だけに電界を印加する駆動とに選択的に切換えることができるようにし、その駆動の切換えにより、前記液晶素子１の第２の領域Ｂに対応する画面部分全体を鏡面とする反射表示を行なえるようにしてもよい。
【００５４】
さらに、上記実施例では、前記液晶素子１の第１と第２の領域Ａ，Ｂの両方に、液晶層５に印加する電界を制御する複数の画素を形成しているが、前記液晶素子１の前記第１の領域Ａだけに、液晶層５に印加する電界を制御する複数の画素を形成してもよく、このようにすることにより、外光を利用する反射表示のときも、面光源８からの光による透過表示のときも、前記液晶素子１の第２の領域Ｂに対応する画面部分を鏡面とする表示を行なうことができる。
【００５５】
その場合は、前記液晶素子１の第２の領域Ｂに対応する遮光印刷膜１０を、前記反射偏光板７と透光性着色膜９との間に、前記反射偏光板７と透光性着色膜９との対向面のいずれか一方に印刷して形成してもよく、また、前記透光性着色膜９を前記第１の領域Ａだけに対応させて設け、前記遮光印刷膜１０を前記反射偏光板７の後面に印刷して形成してよい。
【００５６】
また、上記各実施例の液晶表示装置はＴＮ型のものであるが、この発明は、ＴＮ型に限らず、液晶素子の液晶層の液晶分子を前後の基板間において１８０°〜２７０°（好ましくは２００°〜２５０°）のツイスト角でツイスト配向させたＳＴＮ型、前記液晶分子を一方向に分子長軸を揃えてホモジニアス配向させたホモジニアス配向型等の液晶表示装置にも適用することができる。
【００５７】
【発明の効果】
この発明の液晶表示装置は、液晶素子の前側に吸収偏光板を、後側に反射偏光板を配置し、前記反射偏光板の後側に面光源を配置するとともに、前記液晶素子に、前記面光源からの光により透過表示を行なうための予め定めた第１の領域と前記第１の領域以外の第２の領域を設け、前記反射偏光板の前記面光源に対向する後面側に、前記液晶素子の少なくとも前記第１の領域に対応する透光性着色膜と、前記第２の領域に対応する遮光印刷膜とを設けたものであるため、外光を利用する反射表示のときも面光源からの光による透過表示のときも画面を鏡面にし、しかも両方の表示を着色表示とすることができる。
【００５８】
この発明の液晶表示装置は、前記液晶素子の第１と第２の領域の両方に、液晶層に印加する電界を制御する複数の画素を形成した構成としてもよく、その場合は、前記反射偏光板の後面に前記第１と第２の領域の両方に対応する透光性着色膜を設け、この着色膜の前記面光源に対向する後面に、前記第２の領域に対応する遮光印刷膜を設けることにより、外光を利用する反射表示のときに、前記液晶素子の第１と第２の領域の両方を利用して、鏡面背景中に前記透光性着色膜の色で表示する着色表示を行なうことができる。
【００５９】
また、この液晶表示装置は、前記液晶素子の第１の領域だけに、液晶層に印加する電界を制御する複数の画素を形成した構成としてもよく、このようにすることにより、外光を利用する反射表示のときも、面光源からの光による透過表示のときも、前記液晶素子の第２の領域に対応する画面部分を鏡面とする表示を行なうことができる。
【図面の簡単な説明】
【図１】この発明の一実施例を示す液晶表示装置の反射表示状態及び透過表示状態の断面図。
【図２】前記液晶表示装置の液晶素子の前後の基板の近傍における液晶分子配向方向と、前記吸収偏光板と反射偏光板の透過軸の向きを示す図。
【図３】前記液晶表示装置の透過表示のときの表示状態を示す図。
【符号の説明】
１…液晶素子、２，３…基板、５…液晶層、Ａ…第１の領域、Ｂ…第２の領域、６…吸収偏光板、６ａ…透過軸、７…反射偏光板、７ａ…透過軸、７ｂ…反射軸、８…面光源、９…透光性着色膜、１０…遮光印刷膜。
【図１】
2004212424.tif 000003
【図２】
2004212424.tif 000004
【図３】
2004212424.tif 000005